(57)【特許請求の範囲】
【請求項１】
有底のバッグ本体（１）に肩ベルト（２）の両端部（２ａ）が取り付けられた肩ベルト付き釣り用バッグであって、肩ベルト（２）の中途部には被係着部（８）が設けられ、バッグ本体（１）の底面（９）から所定高さ上方位置には、肩ベルト（２）の被係着部（８）を係着可能な係着部（６）が設けられていることを特徴とする肩ベルト付き釣り用バッグ。
【請求項２】
肩ベルト（２）には肩当てパッド部（７）が設けられ、該肩当てパッド部（７）の表面（７ａ）側に被係着部（８）が設けられている請求項１記載の肩ベルト付き釣り用バッグ。
【請求項３】
肩ベルト（２）の被係着部（８）がバッグ本体（１）の係着部（６）に係着されると、肩ベルト（２）全体が底面（９）から所定高さ上方に位置する請求項１記載の肩ベルト付き釣り用バッグ。
【請求項４】
有底のバッグ本体（１）に肩ベルト（２）の両端部（２ａ）が取り付けられた肩ベルト付き釣り用バッグであって、バッグ本体（１）の底面（９）から所定高さ上方位置には、肩ベルト（２）の中途部を保持するためのベルト保持部（１０）が設けられ、該ベルト保持部（１０）は、肩ベルト（２）の長手方向が略水平となるように保持することを特徴とする肩ベルト付き釣り用バッグ。
【発明の詳細な説明】
【０００１】
【発明の属する技術分野】
本発明は、肩ベルトを備えた肩ベルト付き釣り用バッグに関する。
【０００２】
【従来の技術】
従来、この種のバッグには、肩に掛けて持ち運ぶために肩ベルトが取り付けられている。該肩ベルトは、一般には、その両端部がバッグ本体の対向する両側面に固定される一方、その長手方向略中央部には、肩へのくい込みを緩和するために肩当てパッド部が設けられている。
【０００３】
【発明が解決しようとする課題】
ところで、かかるバッグを携帯して釣り場に置くと、肩ベルトは垂れた状態となり、その中途部が地面に接触する。ところが、釣り場は一般に濡れていることが多いため、地面についた肩ベルトの中途部が濡れたり汚れたりしやすいという問題がある。特に、肩当てパッド部は肩に直接当たる箇所であるため、汚れ等が問題となりやすい。
【０００４】
更に、肩ベルトが下方に垂れてバッグ本体の底面の下に潜り込み、バッグ本体の下敷きとなることもあり、釣り場を移動する際などにおいて、咄嗟に肩ベルトを把持することが困難となる場合も生じ、使い勝手の更なる改善も望まれていた。
【０００５】
そこで本発明は上記従来の問題点に鑑みてなされたもので、載置したときの肩ベルトの濡れや汚れを抑制でき、使い勝手のよい肩ベルト付き釣り用バッグを提供することを課題とする。
【０００６】
【課題を解決するための手段】
本発明は、上記課題を解決すべくなされたものであり、本発明に係る肩ベルト付きケースは、有底のバッグ本体に肩ベルトの両端部が取り付けられた肩ベルト付き釣り用バッグであって、肩ベルトの中途部には被係着部が設けられ、バッグ本体の底面から所定高さ上方位置には、肩ベルトの被係着部を係着可能な係着部が設けられていることを特徴とする。
【０００７】
該構成では、例えば釣り具等をバッグ本体内に収納して肩ベルトを肩に掛けて持ち運びすることができる。そして、バッグを地面に載置する際、バッグ本体の係着部に肩ベルトの被係着部を係着させると、その被係着部はバッグ本体の底面から所定高さ上方位置に、即ち、バッグを載置した地面から所定高さ上方に位置することとなる。従って、肩ベルトの中途部がバッグ本体に係着されることにより、肩ベルトがバッグ本体の下敷きになりにくく、また、地面に当接することも抑制される。そして、バッグを持ち上げる時も肩ベルトを容易に把持することができ、被係着部の係着を解除してバッグを素早く担ぎ上げることができる。
【０００８】
また、肩ベルトには肩当てパッド部が設けられ、該肩当てパッド部の表面側に被係着部が設けられていることが好ましい。
【０００９】
即ち、被係着部は肩ベルトの中途部の何れの箇所にも設けることが可能であるが、肩当てパッド部は肩に直接触れる箇所であって濡れたり汚れたりすると不快感が強くなるので、該肩当てパッド部に被係着部を設けて地面から離反させることが好ましいのである。
【００１０】
また、担ぐときも肩当てパッド部を持って容易に肩ベルトを肩に掛けることができるので、より一層素早く且つスムーズに持ち運びすることができる。
【００１１】
しかも、肩当てパッド部の表面側に被係着部を設けることにより、被係着部が肩に直接当接するおそれがない。
【００１２】
また、肩ベルトの被係着部がバッグ本体の係着部に係着されると、肩ベルト全体が底面から所定高さ上方に位置することが好ましい。
【００１３】
即ち、肩ベルトの被係着部のみならず他の箇所も地面から離反するので、肩ベルトの濡れや汚れを確実に防止することができ、また、肩ベルトがバッグ本体の下敷きになるおそれもないのでより一層容易に掴んでバッグを担ぐことができ、バッグの使い勝手をより一層高めることもできる。
【００１４】
また、本発明にかかる肩ベルト付きケースは、有底のバッグ本体に肩ベルトの両端部が取り付けられた肩ベルト付き釣り用バッグであって、バッグ本体の底面から所定高さ上方位置には、肩ベルトの中途部を保持するためのベルト保持部が設けられ、該ベルト保持部は、肩ベルトの長手方向が略水平となるように保持することを特徴とする。
【００１５】
該構成では、肩ベルトの中途部がベルト保持部によってバッグ本体の底面から所定高さ上方位置において略水平に保持される。従って、肩ベルトがバッグ本体の下敷きになりにくく、また、地面に当接することも抑制される。そして、バッグを持ち上げる時も肩ベルトを容易に把持することができ、ベルト保持部から肩ベルトを外してバッグを素早く担ぎ上げることができる。
【００１６】
【発明の実施の形態】
以下、本発明の肩ベルト付き釣り用バッグの一実施形態について、図１乃至図３を参酌しつつ、有底のバッグ本体１と、該バッグ本体１に両端部２ａが取り付けられた肩ベルト２とを備えた肩ベルト付き釣り用バッグについて説明する。
【００１７】
まず、バッグ本体１は、平面視略方形状を呈し、上方開口部には蓋体３が設けられている。そして、内部に種々の釣り具や餌等若しくは釣った魚等を収納することができる。該バッグ本体１の対向する両側面４，４に、前記肩ベルト２の両端部２ａが各々縫着固定されている。尚、肩ベルト２が取り外し可能に構成されていてもよい。
【００１８】
更に、該バッグ本体１の四つの側面のうち、肩ベルト２が取り付けられていない側面５の上方側には、後述する肩ベルト２の被係着部を係着するための係着部が設けられている。本実施形態では、係着部として、側面４から側方に突出した平面視略コの字状の枠部６が設けられている。
【００１９】
一方、肩ベルト２は、略１ｍ前後の長さを有し、バッグを地面に載置した状態で下方に垂らすと、図１に二点鎖線にて示すように長手方向略中央部が地面に当接する状態となるような長さを有している。
【００２０】
そして、該肩ベルト２には、肩当てパッド部７が肩ベルト２の長手方向に移動可能に設けられている。該肩当てパッド部７は、その裏面７ｂ側が肩に当接する面である。該肩当てパッド部７の表面７ａ側には、前記係着部に係着される被係着部が設けられている。本実施形態では、被係着部として、枠部６に引っかけることができるように折曲形成されたフック部８が設けられている。
【００２１】
該フック部８の先端は、肩ベルト２の略幅方向を向いている。そして、図２のように、フック部８を枠部６の上方開口から下方に向けて差し込むことで枠部６にフック部８を係着させることができ、その状態においては、肩ベルト２が肩当てパッド部７において略水平となる。即ち、フック部８の枠部６への抜き差し方向が上下方向であり且つフック部８が肩ベルト２の幅方向に形成されているので、図３のように、肩ベルト２は、その略中央部に位置する肩当てパッド部７において吊られて、バッグ本体１の底面９と略平行な状態となり、その位置において底面９から所定高さ上方に位置することとなるのである。そして、係着された肩当てパッド部７と両端部２ａとの間の領域はＵ字状に弛緩状態にあるが、最下部も地面から離反した状態にある。即ち、肩ベルト２全体が地面から離反するように、肩ベルト２の長さと枠部６の位置とを設定している。
【００２２】
このように、肩ベルト２の中途部をバッグ本体１の側面５に係着させることができるので、係着された肩当てパッド部７が地面に当接せず、濡れたり汚れたりするおそれがない。無論、肩ベルト２がバッグ本体１の下敷きになることもない。従って、肩が肩当てパッド部７を介して汚れたり濡れたりすることがなく、釣り人の不快感が解消される。
【００２３】
しかも、肩ベルト２全体が底面９から所定高さ上方に位置して地面から離反した状態になるので、肩当てパッド部７と両端部２ａとの間の領域も汚れたりしない。特に、フック部８が肩ベルト２の幅方向を向き且つ枠部６の差込口が上方にあるので、肩ベルト２の長手方向が肩当てパッド部７において略水平にでき、肩ベルト２の地面との当接をより効果的に防止できる。尚、肩当てパッド部７は移動可能であるが、一般には肩ベルト２の略中央部に位置させることが多いので、この観点からも肩当てパッド部７に被係着部としてのフック部８を設けると、肩ベルト２の略中央部が吊り上げられるので効果的に地面との当接を抑制できる。
【００２４】
また、肩当てパッド部７が地面より上方位置にあるので掴みやすく、図２や図３に矢印Ｐにて示すように上方にフック部８を容易に抜くことができる。従って、肩ベルト２を肩に掛けて釣り用バッグを素早く担ぎ上げて釣り場を移動することができる。
【００２５】
しかも、このように、肩当てパッド部７の表面７ａ側にフック部８を設けているので、肩に掛けてもフック部８が肩に当たったりすることがなく、フック部８が携帯の邪魔になることもない。
【００２６】
尚、上記実施形態では、肩当てパッド部７が移動可能であったが固定タイプとしてもよい。この場合には肩ベルト２の略中央部に固定させることが好ましく、これにフック部８等の被係着部を設けることが好ましい。
【００２７】
また、係着部や被係着部の構成も適宜設計変更可能であり、一方を雄型面ファスナーとし、他方を雌型面ファスナーとすることもできる。
【００２８】
更に、係着部や被係着部の位置も変更可能であり、例えば、係着部を蓋体３に設けることも可能であり、係着部は底面９から所定高さ上方の位置であればよい。
【００２９】
また、肩ベルト２に被係着部を設けない構成とすることも可能である。即ち、バッグ本体１の底面９から所定高さ上方位置に、例えば、バッグ本体１の側面５に、肩ベルト２の中途部を保持するためのベルト保持部を設けることもできる。
【００３０】
例えば、図４のように、バッグ本体１の側面５に左右に所定間隔離間して一対の保持帯１０をベルト保持部として設けることができる。該保持帯１０は、一端が側面に固定され他端が自由端となっていて上下方向に沿って設けられている。そして、図４のように肩ベルト２を下方側から抱きかかえるようにして保持することができ、自由端側の一端部を他端部に係着させることでそれ自体の筒状の形状を維持する構成である。この実施形態では、筒状となった時の内側に相当する面に、相互に係着する面ファスナーを備えており、これで筒状の形状を維持する。
【００３１】
そして、肩ベルト２はその長手方向が略水平となるように保持される。このように、肩ベルト２の中途部が略水平に保持されるので、肩ベルト２が地面に当接しにくくなり、携帯時も容易に肩ベルト２を把持することができるのである。
【００３２】
尚、この実施形態では、略同一高さに一対の保持帯１０を設けることで略水平状態に肩ベルト２を保持するようにしているが、水平方向に長い一つの保持帯によって肩ベルト２を略水平に保持することもできる。但し、図４のように所定間隔離間して複数箇所設けることにより、よりスムーズに肩ベルトを持って携帯できる。
【００３３】
尚、ベルト保持部としては、上記以外にも、例えば、上方に開口する略Ｕ字状のフックをバッグ本体１に取り付けてもよい。
【００３４】
【発明の効果】
以上のように、本発明の肩ベルト付き釣り用バッグにあっては、肩ベルトの被係着部がバッグ本体の係着部に係着されることで肩ベルトの汚れや濡れを抑制することができるうえに、所定高さ上方位置に肩ベルトの係着部が位置するので容易に肩ベルトを把持して釣り用バッグを携帯して釣り場を移動することができるなど、釣り用として良好な使い勝手が得られる。
【００３５】
また、肩ベルトの中途部を保持するベルト保持部をバッグ本体に設けたことにより、肩ベルトの汚れや濡れを抑制することができるうえに、所定高さ上方位置に肩ベルトの中途部が位置するので容易に肩ベルトを把持して釣り用バッグを携帯して釣り場を移動することができるなど、釣り用として良好な使い勝手が得られる。
【図面の簡単な説明】
【図１】本発明の一実施形態における肩ベルト付き釣り用バッグを示す斜視図。
【図２】同釣り用バッグの使用状態を示す要部断面図。
【図３】同釣り用バッグの使用状態を示す斜視図。
【図４】本発明の他の実施形態における肩ベルト付き釣り用バッグを示す斜視図。
【符号の説明】
１…バッグ本体、２…肩ベルト、２ａ…両端部、３…蓋体、４，５…側面，６…枠部（係着部）、７…肩当てパッド部、７ａ…表面、７ｂ…裏面、８…フック部（被係着部）、９…底面、１０…保持帯（ベルト保持部）
【図１】
0004194734.tif 000002
【図２】
0004194734.tif 000003
【図３】
0004194734.tif 000004
【図４】
0004194734.tif 000005